(57)【要約】      （修正有）【課題】大がかりな工事をすることなしに、既存の転落防止用の保護壁の必要な箇所に簡単、かつ安価に設置することができる構造をした転落防止補助具を提供する。【解決手段】板状部と、板状部の表面上に板状部と一体的に設けられ、表面を触って来る相手の手や足に痛みを伴う不快感を与える不快部とを有して、不快部を外側にして板状部を保護壁１０１上に設置するようにした転落防止補助具。【選択図】図１１
0003205618.tif 000002
【実用新案登録請求の範囲】
【請求項１】
転落防止用の保護壁に設置される転落防止補助具において、
板状部と、
前記板状部の表面上に前記板状部と一体的に設けられ、手や足で前記板状部の前記表面を触って来る相手の前記手や足に痛みを伴う不快感を与える不快部と、
を有して、前記不快部を外側にして前記板状部を前記保護壁上に設置するようにしてなる、ことを特徴とする転落防止補助具。
【請求項２】
前記不快部は、前記板状部の表面を、トゲを有する粗面として形成してなる、ことを特徴とする請求項１に記載の転落防止補助具。
【請求項３】
前記不快部は、前記板状部の表面上に、前記板状部から外側に向かって略直角に突出された硬い毛髪状をした繊維材を複数本並設してなる、ことを特徴とする請求項１に記載の転落防止補助具。
【請求項４】
前記不快部は、前記板状部の表面上に、先が尖った円錐状の突起を複数個並設してなる、ことを特徴とする請求項１に記載の転落防止補助具。
【請求項５】
前記不快部は、前記板状部の表面上に、先端側に先が尖った円錐状の突起を有する円柱を複数個並設してなる、ことを特徴とする請求項１に記載の転落防止補助具。
【請求項６】
前記板状部は、シート状をした屈曲可能な板材として形成されてなる、ことを特徴とする請求項１から請求項５のいずれか１項に記載の転落防止補助具。
【請求項７】
前記板状部は、断面真円状をした筒状に形成されているとともに、前記筒状の両端面に渡って外表面から内表面まで貫通している開口用スリットを形成してなる、ことを特徴とする請求項１から請求項５のいずれか１項に記載の転落防止補助具。
【請求項８】
前記板状部は、断面楕円形をした筒状に形成されているとともに、前記筒状の両端に渡って外表面から内表面まで貫通している開口用スリットを形成してなる、ことを特徴とする請求項１から請求項５のいずれか１項に記載の転落防止補助具。
【請求項９】
前記板状部は、表面側から裏面側へ向かって途中まで切り込まれた複数本の折り曲げ用スリットを有する、ことを特徴とする請求項１から請求項８のいずれか１項に記載の転落防止補助具。
【考案の詳細な説明】
【技術分野】
【０００１】
本考案は転落防止補助具に関するものであり、特に、幼児や児童等が障壁や障壁上に設けられた手摺等で形成された保護壁を乗り越えて外部へ転落するのを防止するための転落防止補助具に関するものである。
【背景技術】
【０００２】
近年、マンション等の共同住宅の高層化が進み、それに伴い、幼児や児童等の痛ましい転落事故が増えている。その主な原因は、マンション等の高層住宅におけるバルコニーやベランダ、解放廊下等に巡らされた障壁や障壁上に設けられた手摺等で形成された保護壁を乗り越えての転落事故がほとんどである。とは言え、高層住宅のバルコニーやベランダ、解放廊下等に巡らされた保護壁の高さは法律で規定されている最低高さが施されているのが殆どであり、その事故はその法律で規定された高さの保護壁を乗り越えて事故が発生している。この問題は、高層住宅に限らず、低層の一般住宅での階段、一般公共施設等における保護壁でも起こっている。
【０００３】
ところで、高層住宅におけるバルコニーやベランダ、解放廊下等に巡らされた保護壁のタイプ、及び一般住宅での階段、一般公共施設等における保護壁は多種多様である。高層住宅におけるバルコニーやベランダ、解放廊下等に巡らされた保護壁の代表的なものとしては図１５から図１８等が知られている。以下、その図１５から図１８に示す代表例の構造を説明する。なお、図１５から図１８では全体を通して同じ要素には同じ番号を付して説明する。
【０００４】
図１５に示すタイプ(以下、このタイプを「タイプＡ」という)の保護壁１０１は、単にコンクリート製等の障壁５０を床から垂直に設けたものであり、障壁５０の上面５０ａは平面状に形成されている。
【０００５】
図１６に示すタイプ(以下、このタイプを「タイプＢ」という)の保護壁２０１は、コンクリート製の障壁５０を床等から垂直に設け、かつ、障壁５０の中間部分に転落防止用の保護柵６０を埋め込んだ風抜き窓５１を設けたものであり、障壁５０の上面５０ａは平面状に形成されている。
【０００６】
図１７に示すタイプ(以下、このタイプを「タイプＣ」という)の保護壁３０１は、コンクリート製の障壁５０を床等から垂直に設け、かつ、障壁５０の中間部分に転落防止用の防護柵６０を配設して風抜き窓５１を設けたものである。また、障壁５０の上面５０ａは平面状に形成されているが、保護柵６０の横桟６０ａは、同図(ａ)のＡ−Ａ断面形状が同図(ｃ)に示すように丸形のもの、または同図(ｄ)に示すように四角形のもの等がある。
【０００７】
図１８に示すタイプ(以下、このタイプを「タイプＤ」という)の保護壁４０１は、タイプＣの保護壁３０１における障壁５０上に、障壁５０の上面５０ａに固定された取付支柱６１を介して転落防止用の手摺７０を設けたものである。その手摺７０は、同図(ａ)のＢ−Ｂ断面形状が同図(ｃ)に示すように丸形のもの、または同図(ｄ)に示すように四角形のもの等がある。
【０００８】
そこで、従来から幼児や児童等が障壁や手摺を乗り越えられないようにした転落防止装置の工夫が施されている（例えば、特許文献１、特許文献２参照）。
【０００９】
特許文献１記載の転落防止装置は、高層住宅におけるベランダの障壁の上に、幼児や児童等が乗り越えることができない防護柵を固定して設け、転落を防止するようにしたものである。
【００１０】
特許文献２記載の転落防止装置は、高層住宅におけるバルコニーやベランダ、解放廊下等に巡らされた手摺の両端を回転可能に支持し、幼児や児童等が手摺をよじ登って乗り越えようとすると、手摺が内側(バルコニーやベランダ、解放廊下側)に回転をし、外側への転落をするようにしたものである。
【先行技術文献】
【特許文献】
【００１１】
【特許文献１】特開平１１−１４０９７０号公報。
【特許文献２】特開２０１０−２４８７７１号公報。
【考案の概要】
【考案が解決しようとする課題】
【００１２】
しかしながら、特許文献１記載に記載されているような防護柵を設けている従来の転落防止装置にあっては、エアコンの室外機や、椅子やテーブルが置かれているような場合には、それを足掛かりに背丈の小さな幼児や児童等でも防護柵を乗り越えて転落事故に繋がる虞があるという問題点があった。
【００１３】
また、特許文献２に記載されているような、手摺を回転可能に設ける方法では、既に設置されている手摺を取り外して、新たに転落を防止する構造をした手摺と交換をしなければならず、工事費が掛かるという問題点があった。なお、新たに建設する高層住宅においては、比較的簡単に設置することはできるが、構造自体が複雑で、また設置費用が嵩むという問題点があった。
【００１４】
また、上述したように、保護壁のタイプは多種多様であるので、これら多種多様なタイプの保護壁に、保護壁の設置後であっても容易に適用できることが望まれるが、特許文献１及び特許文献２に記載されているような転落防止装置では、既存の保護壁を容易に改変して設置することができないという問題点があった。
【００１５】
そこで、本考案は上記問題点に鑑みなされたものであり、大がかりな工事をすることなしに、既存の保護壁の必要な箇所に簡単、かつ安価に設置することができる構造をした転落防止補助具を提供することを目的としている。
【課題を解決するための手段】
【００１６】
本考案は上記目的を達成するために提案されたものであり、請求項１に係る本考案は、転落防止用の保護壁に設置される転落防止補助具において、板状部と、前記板状部の表面上に前記板状部と一体的に設けられ、手や足で前記板状部の前記表面を触って来る相手の前記手や足に痛みを伴う不快感を与える不快部と、を有して、前記不快部を外側にして前記板状部を前記保護壁上に設置するようにしてなる、ことを特徴とする。
【００１７】
この構成によれば、例えばアパート、マンション等の高層集合住宅のバルコニーやベランダ、解放廊下の前記保護壁、あるいは一般住宅の階段、一般公共施設等における前記保護壁上に、前記不快部を外側にして前記板状部を設置しておくと、幼児や子供等が前記保護壁に登るのに前記板状部の表面を手や足で触ろうとすると、前記板状部の表面上に設けられている前記不快部が手や足に触れ、前記不快部と触れた前記手や足に痛みを伴う不快感を与える。これにより、幼児や子供等が前記保護壁上に登るのを止めさせて転落事故を未然に防止することができる。
【００１８】
請求項２に係る本考案は、前記不快部は、前記板状部の表面を、トゲを有する粗面として形成してなる、ことを特徴とする。
【００１９】
この構成によれば、幼児や子供等が前記保護壁に登るのに前記板状部の表面を手や足で触ろうとすると、前記板状部の表面上に設けられている前記不快部における粗面のトゲが手や足に触れ、前記不快部のトゲと触れた前記手や足に痛みを伴う不快感を与える。これにより、幼児や子供等が前記保護壁上に登るのを止めさせ、転落事故を未然に防止することができる。
【００２０】
請求項３に係る本考案は、前記不快部は、前記板状部の表面上に、前記板状部から外側に向かって略直角に突出された硬い毛髪状をした繊維材を複数本並設してなる、ことを特徴とする。
【００２１】
この構成によれば、幼児や子供等が前記保護壁に登るために前記板状部の表面を手や足で触ろうとすると、前記板状部の表面上に設けられている前記不快部における硬い毛髪状をした前記繊維材が手や足に触れ、前記不快部の前記繊維材と触れた前記手や足に痛みを伴う不快感を与える。これにより、幼児や子供等が前記保護壁上に登るのを止めさせ、転落事故を未然に防止することができる。
【００２２】
請求項４に係る本考案は、前記不快部は、前記板状部の表面上に、先が尖った円錐状の突起を複数個並設してなる、ことを特徴とする。
【００２３】
この構成によれば、幼児や子供等が前記保護壁に登るのに前記板状部の表面を手や足で触ろうとすると、前記板状部の表面上に設けられている前記不快部における円錐状の突起が手や足に触れ、前記突起と触れた前記手や足に痛みを伴う不快感を与える。これにより、幼児や子供等が前記保護壁上に登るのを止めさせ、転落事故を未然に防止することができる。
【００２４】
請求項５に係る本考案は、前記不快部は、前記板状部の表面上に、先端側に先が尖った円錐状の突起を有する円柱を複数個並設してなる、ことを特徴とする。
【００２５】
この構成によれば、幼児や子供等が前記保護壁に登るのに前記板状部の表面を手や足で触ろうとすると、前記板状部の表面上に設けられている前記不快部における円柱の先端側に設けられている円錐状の突起が手や足に触れ、前記突起と触れた前記手や足に痛みを伴う不快感を与える。これにより、幼児や子供等が前記保護壁上に登るのを止めさせ、転落事故を未然に防止することができる。
【００２６】
請求項６に係る本考案は、前記板状部は、断面平板状に形成されてなる、ことを特徴とする。
【００２７】
この構成によれば、前記保護壁の上面が平面となっている場合に、その平面上に前記板状部を密着させて転落防止補助具を取り付けることができる。また、上面が変形していても、その上面の形状に倣って板状部が配設される。これにより、前記保護壁の見栄えを悪くすることなく、確実に取り付けることができる。
【００２８】
請求項７に係る本考案は、前記板状部は、断面真円状をした筒状に形成されているとともに、前記筒状の両端面に渡って外表面から内表面まで貫通している開口用スリットを形成してなる、ことを特徴とする。
【００２９】
この構成によれば、障壁の上面に断面真円状の手摺等を設けた前記保護壁の構造となっているような場合に、前記手摺の外周を筒状の板状部で包み込むようにして、前記手摺の外周面上に前記板状部を密着させて取り付けることができる。しかも、前記筒状の両端面に渡って外表面から内表面まで貫通している前記開口用スリットを設けているので、前記スリットの部分を開口させて前記手摺の側面側から取り付け、取付後は前記スリットの部分を閉じると、前記板状部材が前記手摺の外周を包み込むようにして簡単に取り付けることができる。また、前記手摺の外径が前記板状部の内径よりも若干大きく、前記手摺と前記板状部との間に誤差がある場合は、その誤差を前記スリットの開きによって吸収することができる。これにより、前記保護壁の見栄えを悪くすることなく、確実に取り付けることができる。
【００３０】
請求項８に係る本考案は、前記板状部は、断面楕円形をした筒状に形成されているとともに、前記筒状の両端に渡って外表面から内表面まで貫通している開口用スリットを形成してなる、ことを特徴とする。
【００３１】
この構成によれば、障壁の上面に断面楕円状の手摺等を設けた前記保護壁の構造となっているような場合に、前記手摺の外周を筒状の板状部で包み込むようにして、前記手摺の外周面上に前記板状部を密着させて取り付けることができる。しかも、前記筒状の両端面に渡って外表面から内表面まで貫通している前記開口用スリットを設けているので、前記スリットの部分を開口させて前記手摺の側面側から取り付け、取付後は前記スリットの部分を閉じると、前記板状部が前記手摺の外周を包み込むようにして簡単に取り付けることができる。また、手摺の外径が前記板状部の内径よりも若干大きく、前記手摺と前記板状部との間に誤差がある場合は、その誤差を前記スリットの開きによって吸収することができる。これにより、前記保護壁の見栄えを悪くすることなく、確実に取り付けることができる。
【００３２】
請求項９に係る本考案は、前記板状部は、表面側から裏面側へ向かって途中まで切り込まれた複数本の折り曲げ用スリットを有する、ことを特徴とする。
【００３３】
この構成によれば、障壁の上面に断面円形、または断面角形の手摺等を設けた前記保護壁の構造となっているような場合に、前記折り曲げ用スリットの部分で前記板状部を折り曲げて前記手摺の断面形状に合わせた筒形の形状に折り曲げることができる。そして、筒形に折り曲げた前記板状部によって前記手摺の外周を包み込むようにして、前記板状部を前記手摺の外周面上に密着させて転落防止補助具を取り付けることができる。また、前記折り曲げ用スリットの部分で前記板状部を折り曲げる必要のない場合は、板状のままで取り付けることができるので、汎用性の向上も図れる。これにより、前記保護壁の見栄えを悪くすることなく、確実に取り付けることができる。
【考案の効果】
【００３４】
本考案によれば、アパート、マンション等の高層集合住宅のバルコニーやベランダ、解放廊下の保護壁、一般住宅の階段、あるいは一般公共施設等における前記保護壁等、少なくとも幼児や子供等が登るのを防止したい保護壁上に、不快部を外側にして板状部を設置しておくと、幼児や子供等が保護壁に登るのに手や足が触れると、板状部の表面上に設けられている不快部が手や足に痛みを伴う不快感を与えるので、幼児や子供等が保護壁上に登るのを止めさせ、転落事故を未然に防止することができる。また、大がかりな工事をすることなしに、既存の保護壁上に、不快部を外側にして板状部を設置するだけで取り付けが完了するので、既存の保護壁の必要な箇所に簡単、かつ安価に設置することができる効果が得られる。
【図面の簡単な説明】
【００３５】
【図１】本考案の第１実施例に係る転落防止補助具の平面図である。
【図２】本考案の第１実施例に係る転落防止補助具における不快部の第１構造例を説明する図であり、図１のＡ−Ａ線に相当する部分を模式的に示す拡大断面図である。
【図３】本考案の第１実施例に係る転落防止補助具における不快部の第２構造例を説明する図であり、図１のＡ−Ａ線に相当する部分を模式的に示す拡大断面図である。
【図４】本考案の第１実施例に係る転落防止補助具における不快部の第３構造例を説明する図であり、(ａ)は図１のＢ部に相当する部分を拡大して模式的に示す平面図、(ｂ)は(ａ)の部分側面図である。
【図５】本考案の第１実施例に係る転落防止補助具における不快部の第４構造例を説明する図であり、(ａ)は図１のＢ部に相当する部分を拡大して模式的に示す平面図、(ｂ)は(ａ)の部分側面図である。
【図６】本考案の第２実施例に係る転落防止補助具を模式的に示すものであり、(ａ)はその斜視図、(ｂ)は(ａ)の矢印Ｃ方向より見た側面図である。
【図７】本考案の第３実施例に係る転落防止補助具を模式的に示すものであり、(ａ)はその斜視図、(ｂ)は(ａ)の矢印Ｄ方向より見た側面図である。
【図８】本考案の第２実施例及び第３実施例に係る転落防止補助具を手摺に固定しておくためのクリップの一例を模式的に示すものであり、(ａ)はその斜視図、(ｂ)は取付状態を示す正面図である。
【図９】本考案の第４実施例に係る転落防止補助具を模式的に示すものであり、(ａ)はその平面図、(ｂ)は(ａ)の矢印Ｅ方向より見た側面図である。
【図１０】本考案の第４実施例に係る転落防止補助具を手摺に取り付ける状態を説明するための図であり、(ａ)は断面が円柱形の手摺に取り付けたときの状態を図９の矢印Ｅ方向より見た図、(ｂ)は断面が四角柱形の手摺に取り付けたときの状態を図９の矢印Ｅ方向より見た図である。
【図１１】本考案に係る転落防止補助具の第１の使用例を模式的に示す図であり、(ａ)はその正面図、(ｂ)はその側面図である。
【図１２】本考案に係る転落防止補助具の第２の使用例を模式的に示す図であり、(ａ)はその正面図、(ｂ)はその側断面図である。
【図１３】本考案に係る転落防止補助具の第３の使用例を模式的に示す図であり、(ａ)はその正面図、(ｂ)はその平面図、(ｃ)は(ａ)のＦ−Ｆ線断面図である。
【図１４】本考案に係る転落防止補助具の第４の使用例を模式的に示す図であり、(ａ)はその正面図、(ｂ)はその側面図である。
【図１５】従来から知られる高層住宅における保護壁の第１例を示すものであり、(ａ)はその正面図、(ｂ)はその側断面図である。
【図１６】従来から知られる高層住宅における保護壁の第２例を示すものであり、(ａ)はその正面図、(ｂ)はその側断面図である。
【図１７】従来から知られる高層住宅における保護壁の第３例を示すものであり、(ａ)はその正面図、(ｂ)はその側断面図、(ｃ)は(ａ)のＧ−Ｇ線断面図、(ｄ)は(ｃ)に相当する部分の変形例を示す側断面図である。
【図１８】従来から知られる高層住宅における保護壁の第４例を示すものであり、(ａ)はその正面図、(ｂ)はその側断面図である。
【考案を実施するための形態】
【００３６】
以下、本考案を実施するための形態(以下、「実施形態」という)を、添付図面に基づいて詳細に説明する。なお、実施形態の説明の全体を通して同じ要素には同じ番号を付している。また、防護壁は図１５から図１８に各々示した防護壁１０１、２０１、３０１２、４０１と同じものを使用した場合とし、図１から図１４では全体を通して同じ要素には同じ番号を付して説明する。
【００３７】
図１及び図２は本考案に係る第１実施例に係る転落防止補助具１１を示すものであり、図１はその平面図、図２は図１のＡ−Ａ線に相当する部分を模式的に示す拡大断面図である。
【００３８】
図１及び図２において、転落防止補助具１１は、板状部１２と、板状部１２の表面上に板状部１２と一体的に設けられ、手や足で板状部１２の表面を触ると、触った相手の手や足に痛みを伴う不快感を与える不快部１３とを備えてなる。
【００３９】
板状部１２は、シート状をした屈曲可能な帯状をした板材である。板状材１２の厚みは１〜２ミリ、幅は５〜１０センチ、長さは１〜２メートルであり、材質は金属材または樹脂材である。板状部１２は、ハサミやカッターナイフ等で、設置場所の大きさ及び形状に応じて切断し、好適な大きさ及び形状にして使用することができ、汎用性を持たせている。
【００４０】
不快部１３は、図２に不快部１３の第１構造例を示すように、板状部１２の表面をささくれた状態にし、表面に外側へ向かって鋭く突出されたトゲ１４等を無数設けて粗面に仕上げてなるものである。したがって、幼児や子供等が手や足で板状部１２の表面を触ろうとすると、板状部１２の表面に至る前に不快部１３に設けられているトゲ１４等が手や足に刺さって、手や足に痛みを伴う不快感を与えることができる。
【００４１】
なお、不快部１３は、図２に示すトゲ１４の他に、図３に示す第２構造例及び図４に示す第３構造例、第５に示す第４構造例も考えられ、第１構造例に変えて第２、第３、第４構造例のようにしてもよい。
【００４２】
すなわち、図３に示す不快部１３の第２構造例は、板状部１２の表面上に、板状部１２から外側に向かって略直角に突出された硬い毛髪状の繊維材１５を無数並設したものである。したがって、幼児や子供等が手や足で板状部１２の表面を触ろうとすると、板状部１２の表面に至る前に不快部１３に設けられている硬い毛髪状の繊維材１５等が手や足に刺さって、手や足に痛みを伴う不快感を与えることができる。
【００４３】
図４に示す不快部１３の第３構造例は、板状部１２の表面上に、板状部１２から外側に向かって略直角に突出され、先が尖った円錐状の突起１６を無数並設したものである。したがって、幼児や子供等が手や足で板状部１２の表面を触ろうとすると、板状部１２の表面に至る前に不快部１３に設けられている円錐状の突起１６の先端等が手や足に刺さって、手や足に痛みを伴う不快感を与えることができる。
【００４４】
図５に示す不快部１３の第４構造例は、板状部１２の表面上に、板状部１２から外側に向かって略直角に突出され、先端側に尖った円錐状の突起１６を有する円柱１７を無数並設したものである。したがって、幼児や子供等が手や足で板状部１２の表面を触ろうとすると、板状部１２の表面に至る前に不快部１３に設けられている円錐状の突起１６の先端等が手や足に刺さり、手や足に痛みを伴う不快感を与えることができる。
【００４５】
図６は本考案の第２実施例に係る転落防止補助具２１を模式的に示すものであり、(ａ)はその斜視図、(ｂ)は(ａ)の矢印Ｃ方向より見た側面図である。図６において、転落防止補助具２１は、屈曲可能な板状部１２と、板状部１２の表面上に板状部１２と一体的に設けられ、手や足で板状部１２の表面を触ると、触った相手の手や足に痛みを伴う不快感を与える不快部１３とを備えてなる。
【００４６】
図６に示す板状部１２は、シート状をした屈曲可能な板材を断面真円状に屈曲させて筒状体として形成されている。また、その屈曲時にシート状の板材の端面を互いに向かい合わせにして、その端面と端面との間に開口用スリット１８を、筒状の両端面に渡って外表面から内表面まで貫通した状態にして設けている。この開口用スリット１８は、後述するようにして手摺７０の外周に、その手摺７０を包み込むようにして装着するとき、板状部１２全体を弾性屈曲させ、開口用スリット１８を押し広げて手摺７０を挿入するための開口を形成し、かつ、挿入後は開口を塞ぐ役目をする。なお、第２実施例に係る転落防止補助具１１の板状部１２の厚みは１〜２ミリ、幅は５〜１０センチ、長さは１〜２メートルであり、材質は金属材または樹脂材である。そして、板状部１２は、ハサミやカッターナイフ等で設置場所の長さ及び形状に応じて切断し、好適な大きさ及び形状にして使用することができる。
【００４７】
図６に示す不快部１３の構造は、第１実施例の転落防止補助具１１に設けられている不快部１３と同様に、図２に第１構造例として示す、板状部１２の表面をささくれた状態にし、表面に外側へ向かって鋭く突出されたトゲ１４等を無数設けて粗面に仕上げてしてなるもの、図３に第２構造例として示す、板状部１２の表面上に、板状部１２から外側に向かって略直角に突出された硬い毛髪状の繊維材１５を無数並設したもの、図４に第３構造例として示す、板状部１２の表面上に、板状部１２から外側に向かって略直角に突出され、先が尖った円錐状の突起１６を無数並設したもの等が適用される。
【００４８】
図７は本考案の第３実施例に係る転落防止補助具３１を模式的に示すものであり、(ａ)はその斜視図、(ｂ)は(ａ)の矢印Ｄ方向より見た側面図である。第３実施例に係る転落防止補助具３１は板状部１２の形状を、図６に示した第２実施例に係る転落防止補助具２１における板状部１２が、シート状をした板材を屈曲させて断面真円状の筒状体として形成しているのに対して、シート状をした板材を屈曲させて断面楕円状の筒状体として形成したものである。また、この第３実施例に係る転落防止補助具３１も、第２実施例に係る転落防止補助具２１と同様に、その屈曲時にシート状の板材の端面を互いに向かい合わせにして、その端面と端面との間に開口用スリット１８を、筒状の両端面に渡って外表面から内表面まで貫通した状態にして設けている。さらに、第３実施例に係る転落防止補助具３１の板状部１２の各部のサイズは、第２実施例に係る転落防止補助具２１の各部のサイズと同様に、厚みが１〜２ミリ、幅が５〜１０センチ、長さが１〜２メートルであり、材質は金属材または樹脂材としいる。そして、ここでの板状部１２も、ハサミやカッターナイフ等で設置場所の長さ及び形状に切断し、好適な大きさ及び形状にして使用することができるようになっている。
【００４９】
さらに、第３実施例に係る転落防止補助具３１の不快部１３の構造は、第２実施例に係る転落防止補助具２１の不快部１３の構造と同様に、図２に第１構造例として示す、板状部１２の表面をささくれた状態にし、その表面に外側へ向かって鋭く突出されたトゲ１４等を無数設けて粗面に仕上げてしてなるもの、図３に第２構造例として示す、板状部１２の表面上に、板状部１２から外側に向かって略直角に突出された硬い毛髪状の繊維材１５を無数並設したもの、図４に第３構造例として示す、板状部１２の表面上に、板状部１２から外側に向かって略直角に突出され、先が尖った円錐状の突起１６を無数並設したもの等が適用される。
【００５０】
図８は、手摺７０の外周に取り付けられた第２実施例に係る転落防止補助具２１及び第３実施例に係る転落防止補助具３１を手摺７０に固定しておくクリップ８０の一例を模式的に示すものであり、(ａ)はその斜視図、(ｂ)は取付状態を示す正面図である。
【００５１】
クリップ８０は、アルミ製のバネ性を有したクリップであり、両端部に係止爪部８０ａ、８０ａを設けて全体として一部が開口された正面視概略Ｃ字状に形成されている。クリップ８０は、手摺７０の外周に取り付けられた第２実施例に係る転落防止補助具２１及び第３実施例に係る転落防止補助具３１の外側から装着されて、転落防止補助具２１、３１を手摺７０側に締め付けて押さえ、各転落防止補助具２１、３１を手摺７０に固定しておく役目をする。このクリップ８０は、転落防止補助具２１、３１の固定場所の環境状況に応じて複数個使用される。
【００５２】
図９は本考案の第４実施例に係る転落防止補助具４１を模式的に示すものであり、(ａ)はその平面図、(ｂ)は(ａ)の矢印Ｅ方向より見た側面図である。図９において、転落防止補助具４１は、屈曲可能な板状部１２と、板状部１２の表面上に板状部１２と一体的に設けられ、手や足で板状部１２の表面を触ると、触った相手の手や足に痛みを伴う不快感を与える不快部１３とを備えてなる。
【００５３】
板状部１２は、シート状をした屈曲可能な板材である。板状材１２の厚みは１〜２ミリ、幅は５〜１０センチ、長さは１〜２メートルであり、材質は金属材または樹脂材である。板状部１２には、例えば、人工芝と同様の材質であるのが好ましい。板状部１２は、ハサミやカッターナイフ等で設置場所の大きさ及び形状に応じた大きさに切断して使用することができる。また、板状部１２には、板状部１２の長手方向一端面１２ｃ側から長手方向他端面１２ｄに亘って、板状部１２の表面側から裏面側へ向かって途中まで切り込まれた折り曲げ用スリット１９が、板状部１２の幅方向に等間隔をおいて複数本(本実施例では７本)形成されている。そして、板状部１２には、折り曲げ用スリット１９を形成した部分は、板状部１２の表面側から裏面側への切り込みにより肉薄部分となり、その肉薄部分で裏面側への折り曲げが用意になる。
【００５４】
図９に示す不快部１３の構造は、第１実施例の転落防止補助具１１に設けられている不快部１３と同様に、図２に第１構造例として示す、板状部１２の表面をささくれた状態にし、表面に外側へ向かって鋭く突出されたトゲ１４等を無数設けて粗面に仕上げてしてなるもの、図３に第２構造例として示す、板状部１２の表面上に、板状部１２から外側に向かって略直角に突出された硬い毛髪状の繊維材１５を無数並設したもの、図４に第３構造例として示す、板状部１２の表面上に、板状部１２から外側に向かって略直角に突出され、先が尖った円錐状の突起１６を無数並設したもの等が適用される。
【００５５】
図１０は、第４実施例の転落防止補助具４１を手摺７０に取り付ける状態を示したもので、(ａ)は断面が円柱形の手摺７０に取り付けたときの状態を図９の矢印Ｅ方向より見た図、(ｂ)は断面が四角形の手摺７０に取り付けたときの状態を図９の矢印Ｅ方向より見た図である。
【００５６】
図１０の(ａ)の場合では、断面が円柱形をした手摺７０の外周面に、シート状をした板状部１２の裏面側を手摺７０の外周面に倣って屈曲させ、転落防止補助具４１の全体を断面真円状の筒状体に形成して装着するようにしたものである。この場合では、折り曲げ用スリット１９を形成した部分が、肉薄部分となっているので裏面側への折り曲げが用意にでき、手摺７０の外周面に沿って断面円形に屈曲形成される。
【００５７】
図１０の(ｂ)の場合では、断面が四角形をした手摺７０の外周面に、シート状をした板状部１２の裏面側を手摺７０の外周面に倣って屈曲させ、転落防止補助具４１全体を断面四角形状の筒状体に形成して装着するようにしたものである。この場合でも、折り曲げ用スリット１９を形成した部分が、肉薄部分となっているので裏面側への折り曲げが用意にでき、手摺７０の外周面に沿って断面四角形に屈曲形成される。
【００５８】
図１１は、図１〜図５に示した第１実施例の転落防止補助具１１を図１５に示したタイプＡの保護壁１０１に使用した第１使用例を模式的に示す図であり、(ａ)はその正面図、(ｂ)はその側面図である。この第１使用例では、不快部１３を上側にしてシート状をした板状部１２を障壁５０の上面５０ａ上に固定して取り付けたものである。板状部１２を障壁５０の上面５０ａに固定するには、設置後の交換修理等を考慮して両面接着材、ボンド若しくは脱着可能な結束バンド等の取付部材を使用して、脱着可能に取り付けるのが望ましい。
【００５９】
このように、アパート、マンション等の高層集合住宅のバルコニーやベランダ、解放廊下の保護壁１０１上に転落防止補助具１１を、不快部１３を外側にして板状部１２を設置しておくと、幼児や子供等が保護壁１０１に登るのに板状部１２の表面を手や足で触ろうとすると、板状部１３の表面上に設けられている不快部１３が手や足に触れ、不快部１３と触れた手や足に痛みを伴う不快感を与える。これにより、幼児や子供等が保護壁１０１上に登るのを止めさせて転落事故を未然に防止することができる。また、大がかりな工事をすることなしに、既存の保護壁１０１上に、不快部１３を外側にして板状部１２を設置するだけで取り付けが完了するので、既存の保護壁１０１の必要な箇所に簡単、かつ安価に設置することができる。第１使用例では、アパート、マンション等の高層集合住宅のバルコニーやベランダ、解放廊下の保護壁１０１上に設置した場合について説明したが、一般住宅の階段や一般公共施設等における保護壁にも同様にして適用できるものである。
【００６０】
なお、図１１に示した第１使用例において、図１５に示したタイプＡの保護壁１０１に第１実施例の転落防止補助具１１を取り付けた場合を示したが、第１実施例の転落防止補助具１１に変えて、図９に示した第４実施例の転落防止補助具４１を、不快部１３を上側にしてシート状の板状部１２を障壁５０の上面５０ａ上に固定して取り付けてもよい。この場合も、第１使用例で説明したのと同じ効果が得られる。
【００６１】
図１２は、図１〜図５に示した第１実施例の転落防止補助具１１を図１６に示したタイプＢの保護壁２０１に使用した第２使用例を模式的に示す図であり、(ａ)はその正面図、(ｂ)はその側面図である。この第２使用例では、不快部１３を上側にしてシート状の板状部１２を障壁５０の上面５０ａ上に固定して取り付けたものである。板状部１２を障壁５０の上面５０ａに固定するには、設置後の交換修理等を考慮して接着材若しくは脱着可能な取付部材等を使用して、脱着可能に取り付けるのが望ましい。
【００６２】
このように、アパート、マンション等の高層集合住宅のバルコニーやベランダ、解放廊下の保護壁２０１上に転落防止補助具１１を、不快部１３を外側にして板状部１２を設置しておくと、幼児や子供等が保護壁２０１に登るために板状部１２の表面を手や足で触ろうとすると、板状部１３の表面上に設けられている不快部１３が手や足に触れ、不快部１３と触れた手や足に痛みを伴う不快感を与える。これにより、幼児や子供等が保護壁２０１上に登るのを止めさせて転落事故を未然に防止することができる。また、大がかりな工事をすることもなしに、既存の保護壁２０１上に、不快部１３を外側にして板状部１２を設置するだけで取り付けが完了するので、既存の保護壁２０１の必要な箇所に簡単、かつ安価に設置することができる。第２使用例でも、第１使用例と同様に、アパート、マンション等の高層集合住宅のバルコニーやベランダ、解放廊下の保護壁２０１上に設置した場合について説明したが、一般住宅の階段や一般公共施設等における保護壁にも同様にして適用できるものである。
【００６３】
なお、図１２に示した第２使用例において、図１６に示したタイプＢの保護壁２０１に第１実施例の転落防止補助具１１を取り付けた場合を示したが、第１実施例の転落防止補助具１１に変えて、図９に示した第４実施例の転落防止補助具４１を、不快部１３を上側にしてシート状の板状部１２を障壁５０の上面５０ａ上に固定して取り付けてもよい。この場合も、第１使用例で説明したのと同じ効果が得られる。
【００６４】
図１３は、図１８に示したタイプＣの保護壁３０１に、図１〜図５に示した第１実施例の転落防止補助具１１及び図６に示した第２実施例の転落防止補助具２１を使用した第３使用例を模式的に示す図であり、(ａ)はその正面図、(ｂ)はその側面図である。この第３使用例では、障壁５０の上面５０ａ上に第１実施例の転落防止補助具１１を、その転落防止補助具１１の不快部１３を上側にしてシート状をした板状部１２を固定して取り付けるとともに、保護柵６０の横桟６０ａに第２実施例の転落防止補助具２１を、不快部１３を外側にして横桟６０aの外周を覆うようにして板状部１２を取り付けたものである。なお、第１実施例の転落防止補助具１１の板状部１２を障壁５０の上面５０ａに固定するには、設置後の交換修理等を考慮して接着材若しくは脱着可能な取付部材等を使用し、脱着可能に取り付けるのが望ましい。一方、第２実施例の転落防止補助具２１における板状部１２を保護柵６０の横桟６０ａに固定するには、前述したクリップ８０を使用するのが望ましい。
【００６５】
このように、アパート、マンション等の高層集合住宅のバルコニーやベランダ、解放廊下の保護壁３０１上に転落防止補助具１１及び転落防止補助具２１を、それぞれ不快部１３を外側にして板状部１２を設置しておくと、幼児や子供等が保護壁３０１に登るのに板状部１２の表面を手や足で触ろうとすると、板状部１３の表面上に設けられている不快部１３が手や足に触れ、不快部１３と触れた手や足に痛みを伴う不快感を与える。これにより、幼児や子供等が保護壁３０１上に登るのを止めさせて転落事故を未然に防止することができる。また、大がかりな工事をすることなしに、既存の保護壁３０１上に、不快部１３を外側にして板状部１２を設置するだけで取り付けが完了するので、既存の保護壁３０１の必要な箇所に簡単、かつ安価に設置することができる。第３使用例でも、第１使用例及び第２使用例と同様に、アパート、マンション等の高層集合住宅のバルコニーやベランダ、解放廊下の保護壁３０１上に設置した場合について説明したが、一般住宅の階段や一般公共施設等における保護壁にも同様にして適用できるものである。
【００６６】
なお、図１３に示した第３使用例において、図１７に示したタイプＣの保護壁３０１に対し第１実施例の転落防止補助具１１及び第２実施例の転落防止補助具２１を各々取り付けた場合を示したが、第１実施例に係る転落防止補助具１１に変えて、図９に示した第４実施例に係る転落防止補助具４１を、転落防止補助具４１の不快部１３を上側にしてシート状をした板状部１２を障壁５０の上面５０ａ上に固定して取り付けてもよい。また、第２実施例に係る転落防止補助具２１に変えて、図７に示した第３実施例に係る転落防止補助具３１を、転落防止補助具３１の不快部１３を外側にして横桟６０ａに取り付けてもよい。この場合も、第３使用例で説明したのと同じ効果が得られる。
【００６７】
図１４は、図１８に示したタイプＤの保護壁４０１に、図６に示した第２実施例の転落防止補助具２１を使用した第４使用例を模式的に示す図であり、(ａ)はその正面図、(ｂ)はその側面図である。この第４使用例では、手摺７０の外周を覆って、不快部１３を外側にして板状部１２を取り付けたものである。第２実施例の転落防止補助具２１における板状部１２を手摺７０に固定するには、手摺７０に取り付けられた転落防止補助具２１を前述したクリップ８０で外側から挟んで取り付けるのが望ましい。また、必要に応じて、障壁５０の上面５０ａ上に、第１実施例の転落防止補助具１１または第４実施例の転落防止補助具４１を取り付けてもよい。
【００６８】
このように、アパート、マンション等の高層集合住宅のバルコニーやベランダ、解放廊下の保護壁４０１上に転落防止補助具２１を、不快部１３を外側にして板状部１２を設置しておくと、幼児や子供等が保護壁３０１に登るために板状部１２の表面を手や足で触ろうとすると、板状部１３の表面上に設けられている不快部１３が手や足に触れ、不快部１３と触れた手や足に痛みを伴う不快感を与える。これにより、幼児や子供等が保護壁３０１上に登るのを止めさせて転落事故を未然に防止することができる。また、大がかりな工事をすることなしに、既存の保護壁４０１上に、不快部１３を外側にして板状部１２を設置するだけで取り付けが完了するので、既存の保護壁４０１の必要な箇所に簡単、かつ安価に設置することができる。第４使用例でも、第１使用例及び第２使用例、第３使用例と同様に、アパート、マンション等の高層集合住宅のバルコニーやベランダ、解放廊下の保護壁４０１上に設置した場合について説明したが、一般住宅の階段や一般公共施設等における保護壁にも同様にして適用できるものである。
【００６９】
なお、以上説明した使用例のバリエーションは、ほんの一例であり、上記実施形態に限定されるものではなく、本考案の目的を達成できる範囲での変形、改良等は本考案に含まれものである。
【符号の説明】
【００７０】
１１        転落防止補助具
２１        転落防止補助具
３１        転落防止補助具
４１        転落防止補助具
１２        板状部
１２ｃ、１２ｄ  端面
１３        不快部
１４        トゲ
１５        毛髪状の繊維材
１６        突起
１７        円柱
１８        開口用スリット
１９        折り曲げ用スリット
５０        障壁
５０ａ      上面
５１        風抜き窓
６０        保護柵
６０ａ      横桟
６１        取付支柱
７０        手摺
８０        クリップ
８０ａ      係止爪
８１        開口
１０１      保護壁
２０１      保護壁
３０１      保護壁
４０１      保護壁
【図１】
0003205618.tif 000003
【図２】
0003205618.tif 000004
【図３】
0003205618.tif 000005
【図４】
0003205618.tif 000006
【図５】
0003205618.tif 000007
【図６】
0003205618.tif 000008
【図７】
0003205618.tif 000009
【図８】
0003205618.tif 000010
【図９】
0003205618.tif 000011
【図１０】
0003205618.tif 000012
【図１１】
0003205618.tif 000013
【図１２】
0003205618.tif 000014
【図１３】
0003205618.tif 000015
【図１４】
0003205618.tif 000016
【図１５】
0003205618.tif 000017
【図１６】
0003205618.tif 000018
【図１７】
0003205618.tif 000019
【図１８】
0003205618.tif 000020